(57)【要約】  【課題】カラス等の鳥獣に対しても長期間にわたって威嚇効果を得ることのできる鳥獣威嚇装置を提供する。  【解決手段】鳥獣威嚇装置１は、人形本体１０と、人形本体１０を垂直軸周りに回動自在に支持する支持台５０と、風を受けると上昇する力を受けるように構成された翼３１と、上下方向にスライド自在なスライド片３５を有する、人形本体１０に固定されるスライド部材３３と、スライド片３５に一端が接続され、翼３１を上下動可能に支持するスライド支持枠４０と、を有する可動翼部材３０と、を備える。【選択図】図３
2015100319.tif 000002
【特許請求の範囲】
【請求項１】
人形本体と、
前記人形本体を垂直軸周りに回動自在に支持する支持台と、
風を受けると上昇する力を受けるように構成された翼と、上下方向にスライド自在なスライド片を有する、前記人形本体に固定されるスライド部材と、前記スライド片に一端が接続され、前記翼を上下動可能に支持するスライド支持枠と、を有する可動翼部材と、
を備えることを特徴とする鳥獣威嚇装置。
【請求項２】
前記人形本体の背面側に設置され、前記人形本体と一体になって回動する固定垂直尾翼をさらに備え、風を受けると前記固定垂直尾翼が風下側に位置するように前記人形本体が回動することを特徴とする請求項１記載の鳥獣威嚇装置。
【請求項３】
前記スライド支持枠は、
一端が前記スライド部材に揺動自在に接続されると共に、所定の部分が前記翼に対して固定される第一スライド骨と、
一端が前記スライド片に揺動自在に接続されると共に、他端が前記第一スライド骨の所定の場所に揺動自在に接続される第二スライド骨と、
を備え、前記スライド片が上下動することで、前記翼が羽ばたいているように上下動するように構成されていることを特徴とする請求項１又は２記載の鳥獣威嚇装置。
【請求項４】
前記スライド片に一端が固定され、常に前記スライド片を上方に牽引する力を加えるように設置された荷重調整バネをさらに備えることを特徴とする請求項１乃至３何れか１項に記載の鳥獣威嚇装置。
【請求項５】
前記人形本体と一体になって回動するように、所定の場所に着脱可能に設置された着脱垂直尾翼をさらに備えることを特徴とする請求項１乃至４何れか１項に記載の鳥獣威嚇装置。
【発明の詳細な説明】
【技術分野】
【０００１】
本発明は、野生の鳥等の鳥獣を威嚇して追い払うための鳥獣威嚇装置に関する。
【背景技術】
【０００２】
近年、田畑の農作物や都市部の生ゴミなどがカラス等の鳥獣によって荒らされることが問題となっており、これらの鳥獣を威嚇して追い払うための鳥獣威嚇装置が従来から提供されている。
【０００３】
例えば、下記特許文献１，２に従来の鳥獣威嚇装置が開示されている。これらに開示された鳥獣威嚇装置は、鳥の形状を模した鳥人形を備えることで、鳥獣を威嚇することができる。また、特許文献１に開示された鳥獣威嚇装置は、鳥人形を垂直軸周りに回動自在に設置した構成となっており、鳥獣に対して、生きている本物の鳥であると見せかけることで、より高い威嚇効果を奏する。
【先行技術文献】
【特許文献】
【０００４】
【特許文献１】特開平１１−２６２３５号公報
【特許文献２】登録実用新案第３１７９８５９号公報
【発明の概要】
【発明が解決しようとする課題】
【０００５】
しかし、鳥獣の中には、カラスに代表されるように頭の良い動物も含まれており、設置当初は威嚇効果が得られる場合であっても、頭の良い鳥獣であれば、日数が経過するに従って、鳥の人形に慣れてしまい、威嚇効果が得られなくなっていた。
【０００６】
本発明は、このような課題に鑑みてなされたものであり、カラス等の鳥獣に対しても長期間にわたって威嚇効果を得ることのできる鳥獣威嚇装置を提供することを目的とする。
【課題を解決するための手段】
【０００７】
上記課題を解決するための本発明に係る鳥獣威嚇装置は、人形本体と、前記人形本体を垂直軸周りに回動自在に支持する支持台と、風を受けると上昇する力を受けるように構成された翼と、上下方向にスライド自在なスライド片を有する、前記人形本体に固定されるスライド部材と、前記スライド片に一端が接続され、前記翼を上下動可能に支持するスライド支持枠と、を有する可動翼部材と、を備えることを特徴とする。
【発明の効果】
【０００８】
本発明に係る鳥獣威嚇装置によれば、風を受けることで翼が羽ばたくように動き、鳥獣に対して長期間にわたって威嚇効果を発揮することができる。
【図面の簡単な説明】
【０００９】
【図１】図１は、本発明の実施形態に係る鳥獣威嚇装置の正面図である。
【図２】図２は、本発明の実施形態に係る鳥獣威嚇装置の側面図である。
【図３】図３は、本発明の実施形態に係る鳥獣威嚇装置の背面図である。
【図４】図４は、本発明の実施形態に係る頭部揺動接続部材の拡大斜視図である。
【図５】図５は、本発明の実施形態に係る可動翼部材の背面図である。
【図６】図６は、本発明の実施形態に係る可動翼部材の背面図である。
【図７】図７は、本発明の実施形態に係る着脱垂直尾翼の正面図である。
【図８】図８は、本発明の実施形態の変形例に係る顔マスクの斜視図である。
【発明を実施するための形態】
【００１０】
以下、図面を参照しながら本発明の実施形態について詳細に説明する。本実施形態では、カラスなどの害鳥を威嚇して追い払う、フクロウを模した形状の鳥獣威嚇装置（鳥おどし機）を例に挙げて説明する。図１は、本実施形態に係る鳥獣威嚇装置の正面図である。図２は、本実施形態に係る鳥獣威嚇装置の側面図である。図３は、本実施形態に係る鳥獣威嚇装置の背面図である。なお、図２においては、一部を断面で示している。
【００１１】
鳥獣威嚇装置１は、フクロウを模した形状の鳥人形本体１０と、鳥人形本体１０に対して揺動可能に設置された頭部２０と、羽ばたくように動く翼である可動翼部材３０と、鳥人形本体１０を垂直軸周りに回動自在に支持する支持台５０と、固定垂直尾翼６０と、着脱垂直尾翼６１とを備えている。鳥人形本体１０及び頭部２０は、全体でフクロウを模した形状をしている。
【００１２】
頭部２０は、頭部本体２１と、頭部本体２１を鳥人形本体１０に対して揺動自在に接続する頭部揺動接続部材２３とを備えている。図４は、本実施形態に係る頭部揺動接続部材の拡大斜視図である。頭部本体２１の上面には、上方に突出する耳２２が両側に形成されている。頭部揺動接続部材２３は、可変長ボルト２５と、椀型金具２６と、ナット２８と、ボルト止めビス２９とを備えている。
【００１３】
可変長ボルト２５は、全長が調整可能であり、鳥人形本体１０と頭部本体２１との相対的位置を自在に調整することができる。可変長ボルト２５の下端は鳥人形本体１０の上端部の頭部接続部１６にナット２８により固定されている。
【００１４】
可変長ボルト２５の上端部には、椀型金具２６が可変長ボルト２５に対して揺動自在に設置されている。椀型金具２６は、上に凹に設置されており、その中央に可変長ボルト２５の上端部が挿通されている。椀型金具２６内に位置する可変長ボルト２５の上端にナット２８が固定されると共にボルト止めビス２９がねじ込まれている。また、椀型金具２６の下には、椀型金具２６の下面を支持するナット２８（図示せず）が設置されている。
【００１５】
このように、上下のナット２８によって挟まれた椀型金具２６は、可変長ボルト２５に対して揺動自在且つ回動自在に構成される。なお、椀型金具２６の揺動角度は、垂直方向に対して20°程度である。また、頭部本体２１は、椀型金具２６の上端の周縁に対して固定される。これにより、頭部本体２１は、鳥人形本体１０に対して揺動可能且つ回動可能となる。よって、頭部２０に風が当たると、頭部本体２０が鳥人形本体１０に対して揺動し、鳥獣に対して生きているように見せかけることができる。
【００１６】
可動翼部材３０は、鳥人形本体１０の背面に設置され、一対の翼３１と、スライド部材３３と、翼３１をスライド部材３３に対して可動可能に支持するスライド支持枠４０と、荷重調整バネ４８とを備えている。図５は、本実施形態に係る可動翼部材の背面図であり、翼が閉じた状態を示している。図６は、本実施形態に係る可動翼部材の背面図であり、翼が開いた状態を示している。
【００１７】
翼３１は、軽量の翼であり、正面側から前面に風を受けると上昇方向の力を受けるように構成されている。具体的には、全体として後方に凹の形状をすると共に上部及び外側が前方に飛び出るように若干傾斜して設置されている。なお、本実施形態では、翼３１は透明な素材で形成されているが、本物の鳥の翼のように、適宜着色しても良い。
【００１８】
スライド部材３３は、直線状に延在するレール３４と、レール３４に対してスライド自在に設置されたスライド片３５とを備えている。レール３４は、鳥人形本体１０の背面に略垂直方向に延在するように固定されている。
【００１９】
スライド支持枠４０は、風を受けて羽ばたくように翼３１をスライド部材３３に対して支持する部材であり、翼固定骨４１と、第一スライド骨４２と、第二スライド骨４３と、部材同士を揺動自在に接続する可動接続具４５と、部材同士を固定する固定具４６とを備えている。翼固定骨４１は、翼３１に固定される骨であり、本実施形態では、図５及び図６に示すように、翼３１の内側上部と、外側下部の二箇所に設置されている。
【００２０】
第一スライド骨４２は、翼固定骨４１を介して翼３１を支持する部材であり、その上端は、可動接続具４５により、スライド部材３３の固定部分であるレール３４の上端付近にレール３４に対して揺動自在に接続されている。なお、可動接続具４５は、リング部材を用いて構成することができるが、もちろん、適宜他の構成を採用しても良い。
【００２１】
第一スライド骨４２は、翼３１に対して斜めに設置されており、上端より少し下がった場所で、翼固定骨４１ａに固定具４６により固定され、下端部分で翼固定骨４１ｂに固定具４６で固定されている。
【００２２】
第二スライド骨４３は、その下端が、可動接続具４５によりスライド片３５に対して揺動自在に接続され、その上端は、可動接続具４５により第一スライド骨４２の中央から上端寄りの部分に揺動自在に接続されている。
【００２３】
よって、図５に示す翼３１が閉じた状態から鳥獣威嚇装置１が前方向からの強い風を受けると、翼３１は上昇方向の力を受け、翼３１に固定された翼固定骨４１を介して、第一スライド骨４２も上昇方向の力を受ける。このとき、第一スライド骨４２の上端は、レール３４に対して揺動自在に固定されているため、第一スライド骨４２は、その上端を軸として、下端側が上昇するように回転する。
【００２４】
第一スライド骨４２の下端側が上昇すると、第一スライド骨４２に回動自在に接続された第二スライド骨４３の上端が外側斜め上方に引っ張られ、第二スライド骨４３全体が上昇しようとする。第二スライド骨４３の下端は、上下方向にスライド自在なスライド片３５に揺動自在に接続されているので、スライド片３５が第二スライド骨４３の下端と一体にレール３４に沿って上昇することで、第二スライド骨４３が上昇する。
【００２５】
一方、鳥獣威嚇装置１が受ける前方からの風が弱くなると、翼３１が受ける上昇方向の力が弱くなり、上昇していた翼３１は自重により下がり始める。このとき、スライド片３５は、レール３４に沿って下降する。
【００２６】
このように、本実施形態では、二本のスライド骨４２，４３を組み合わせ使用し、翼３１に固定される第一スライド骨４２は、上端の位置が固定軸となり、下端側が回りながら上昇するように構成されている。このため、移動する際の翼３１は、上部内側はほとんど移動せずに、下部外側が大きく上下動することになる。翼３１がこのような動きで上下動すると、実際の鳥の翼が羽ばたいているように見える。よって、カラス等の鳥獣に対して、本物のフクロウのように見せることができ、絶大な威嚇効果を奏することができる。
【００２７】
荷重調整バネ４８は、風の強さと翼３１の動きを調整するためのバネであり、上端は、鳥人形本体１０と一体部分であるレール３４の上部に固定され、下端は、スライド片３５に固定されている。鳥獣威嚇装置１が設置されている場所の風が弱く、風によって翼３１が受ける上昇方向の力よりも翼３１が重い場合には、風を受けても翼３１を羽ばたかせることができない。
【００２８】
これに対して、荷重調整バネ４８を設置し、バネの弾性力により、常にスライド片３５を上方に牽引する力を加えておくことで、風が弱い場合であっても、翼３１を羽ばたかせることが可能となる。翼３１を羽ばたかせるために十分な強さの風が吹いている場所に鳥獣威嚇装置１を設置する場合には、荷重調整バネ４８を省略しても良いし、設置する荷重調整バネ４８のバネ定数は、翼３１の重さや設置場所の風の強さ等に応じて適宜調整すれば良い。
【００２９】
支持台５０は、地面や、地面に設置された台の上などに設置され、鳥人形本体１０を垂直軸周りに回動自在に支持する。支持台５０は、鳥人形本体１０が固定設置される上側回転台５１と、地面等に設置される下側固定台５７と、固定された下側固定台５７に対して、垂直軸周りに上側回転台５１を回動自在に支持する回転接続部５５とを備えている。
【００３０】
図１〜図３に示すように、上側回転台５１は、円形の皿の形状をしており、上面に鳥人形本体１０が固定されている。下側固定台５７も、上側回転台５１と同様に円形皿形状をしており、上面に回転接続部５５が載置されている。回転接続部５５は、垂直方向の回転軸を有するベアリングであり、地面に対して固定された下側固定台５７に対して、上側回転台５１を回動自在に支持している。
【００３１】
固定垂直尾翼６０は、薄板を垂直に立てた形状をしており、図２に示すように、鳥人形本体１０の真後ろの位置で、上側回転台５１の側壁５２に固定されている。鳥獣威嚇装置１が設置された環境で風が吹くと、この固定垂直尾翼６０の側面に風が当たり、固定垂直尾翼６０が風下を向いて、鳥人形本体１０の前面が風上を向くように、支持台５０上の鳥人形本体１０が回動する。
【００３２】
このように、固定垂直尾翼６０を有する鳥人形本体１０は、風を受けると固定垂直尾翼６０が風下を向くように回動するため、風向が変わるにつれて鳥人形本体１０が回動し、鳥獣に対して生きている本物のフクロウであると見せかけることができる。
【００３３】
また、可動翼部材３０は、前方からの風を受けたときに翼３１が上昇する力を受け、大きく羽ばたくことができるので、固定垂直尾翼６０により鳥人形本体１０の前面が風上を向くように回転することで、可動翼部材３０を大きく作動させることができる。
【００３４】
なお、固定垂直尾翼６０の設置位置は、支持台５０の上側回転台５１に限らず、鳥人形本体１０への設置を含め、鳥人形本体１０と一体に回動する部分であれば、適宜他の場所に設置することができる。
【００３５】
着脱垂直尾翼６１は、固定垂直尾翼６０と同様に薄板を垂直に立てた形状をしている。図７は、本実施形態に係る着脱垂直尾翼の正面図である。着脱垂直尾翼６１は、鳥獣威嚇装置１の所定の場所に着脱自在に構成されており、取り付け用の取付部６２を備えている。図２に示すように、着脱垂直尾翼６１の取付部６２は、上側回転台５１の側壁５２に取り付けられる。
【００３６】
固定垂直尾翼６０に加えて、着脱垂直尾翼６１をさらに追加することで、風を受けたときに着脱垂直尾翼６１も風下側に位置するような力が作用するため、風を受けたときの鳥人形本体１０の回動が複雑な動きになり、鳥獣をより効果的に威嚇することができる。着脱垂直尾翼６１を取り付ける位置は、適宜所望の位置を選択すれば良い。また、着脱垂直尾翼６１も鳥人形本体１０と一体に回動する部分であれば、適宜他の場所に設置することができる。
【００３７】
なお、本実施形態では、固定垂直尾翼６０の垂直尾翼の面積の方が着脱垂直尾翼６１よりも大きいので、固定垂直尾翼６０が風から受ける力の方が大きくなり、着脱垂直尾翼６１を設置しても、基本的には、鳥人形本体１０の前面が風上を向くようになる。
【００３８】
以上、本実施形態に係る鳥獣威嚇装置１の構成について説明したが、続いて、鳥獣威嚇装置１を設置した際の作用効果について説明する。鳥獣威嚇装置１は、例えば、農作物を荒らしに来る鳥獣を威嚇して追い払うために、田畑に設置される。
【００３９】
鳥獣威嚇装置１が風を受けると、まず、鳥人形本体１０の背面側に位置する固定垂直尾翼６０が風下に位置するように、支持台５０上に載置された鳥人形本体１０が垂直軸周りに回転する。鳥人形本体１０が風上を向くと、翼３１が正面からの風により上昇する力を受けて上昇する。
【００４０】
風の強さは一定ではなく、強くなったり弱くなったりするので、強い風を受けたときは翼３１が上昇し、風が弱まると翼３１が下降するので、翼３１の上下動により鳥人形本体１０が羽ばたいているように見える。また、風の向きも一定ではなく、変化するので、風向きが変わると、鳥人形本体１０も回転する。
【００４１】
また、頭部本体２１も鳥人形本体１０に対して揺動自在に設置されており、頭部本体２１が受ける風の向きや強さが変化すると、頭部本体２１が鳥人形本体１０に対して揺動する。
【００４２】
このように、鳥獣威嚇装置１は、風が吹いていれば、常時羽ばたいたり、回転したり、頭が動いたりするため、鳥獣に対して生きている本物のフクロウであると見せかけることができ、高い威嚇効果を奏する。特に、風の向きや強さの変化はランダムであるため、同じ場所での設置期間が長くなったとしても、鳥獣威嚇装置１は、常時ランダムな動きをするため、頭の良いカラス等に慣れられることもなく、長期にわたって威嚇効果を持続できる。
【００４３】
続いて、本実施形態の変形例について、図８を参照しながら説明する。図８は、本実施形態の変形例に係る多顔マスクの斜視図である。本変形例では、この多顔マスク６５は、頭部本体２１に被せて使用するマスクである。多顔マスク６５の前面には、前面開口６６が形成されており、多顔マスク６５が頭部本体２１に被せられたときに、頭部本体２１のフクロウの顔がこの開口部分に位置して露出することになる。
【００４４】
多顔マスク６５の側面には、フクロウの顔が二箇所に形成され、多顔マスク６５の上面にもフクロウの顔が一つ形成されている。よって、多顔マスク６５を頭部本体２１に被せると、側面に三つ、上面に一つの合計四つの顔が表れることになる。カラス等の鳥獣は、天敵の顔が見えないと怖がって逃げない場合も多いので、本変形例のように多顔マスク６５を使用することで、鳥獣への威嚇効果をより高めることができる。
【００４５】
なお、本変形例では、多顔マスク６５の側面と、翼３１に夜光塗料を塗ると良い。暗くなった際に可動部分が光ることで、さらに鳥獣への威嚇効果を高めることができる。
【００４６】
以上、変形例を含めて本発明の実施の形態について説明したが、本発明の実施の形態は、上記実施形態に限定されるものではなく、本発明の主旨を逸脱しない範囲内で種々の変形が可能である。例えば、上記実施形態では、フクロウを模した人形を用いたが、威嚇したい鳥獣に対して威嚇効果のある動物であれば、フクロウ以外の他の鳥の人形でも良いし、鳥以外の動物の人形であっても良い。
【００４７】
また、上記実施形態では、可動翼部材を鳥人形本体に対して固定した構造となっているが、固定バンド等を使って既存の人形に後付けできるように構成しても良い。例えば、種々の鳥おどし人形が市販されているので、これに後付けで可動翼部材を取り付けることで、鳥おどし人形の威嚇効果を各段に高めることができる。
【符号の説明】
【００４８】
１    鳥獣威嚇装置
１０  鳥人形本体
１６  頭部接続部
２０  頭部
２１  頭部本体
２２  耳
２３  頭部揺動接続部材
２５  可変長ボルト
２６  椀型金具
２８  ナット
２９  ボルト止めビス
３０  可動翼部材
３１  翼
３３  スライド部材
３４  レール
３５  スライド片
４０  スライド支持枠
４１  翼固定骨
４２  第一スライド骨
４３  第二スライド骨
４５  可動接続具
４６  固定具
４８  荷重調整バネ
５０  支持台
５１  上側回転台
５２  側壁
５５  可動接続部
５７  下側固定台
６０  固定垂直尾翼
６１  着脱垂直尾翼
６２  取付部
６５  多顔マスク
６６  前面開口
【図１】
2015100319.tif 000003
【図２】
2015100319.tif 000004
【図３】
2015100319.tif 000005
【図４】
2015100319.tif 000006
【図５】
2015100319.tif 000007
【図６】
2015100319.tif 000008
【図７】
2015100319.tif 000009
【図８】
2015100319.tif 000010